(57)【要約】本発明は、テレビのためのガラス構造物に関する。持続的なコード情報は、既にガラス構造物の製造に際して取り付けることができ、それもガラス構造物の非機能面が識別面として２進コード情報を有しており、コード情報が、“１”−２進要素で、複数桁の配置および単数行または複数行の配置で表されており、“１”−２進要素が、ガラス構造物の成形方向に関して整列されているか、または成形工具からガラス構造物への像形成動作自体によって成形される部分面に取り付けられていて、かつ識別面に対して隆起しているかまたは凹んでいる均一のシンボルとして形成されている、ことによって取り付けることができる。製造装置によって、識別面とシンボルの方向とシンボルの逆転状態とが適当に選択されてる場合、コード情報は、ガラス構造物の製造と共に１作業過程で、つまりガラス構造物製造と同じ製造過程で取り付けることができる。
2004513865.tif 000002
【特許請求の範囲】
【請求項１】
テレビのためのガラス構造物において、
ガラス構造物の非機能面が、識別面（ＫＦ）として２進コード情報を有しており、
複数桁の配置（ＢＳ１，ＢＳ２，ＢＳ３，ＢＳ４，ＢＳ５，ＢＳ６，ＢＳ７，ＢＳ８，ＢＳ９，ＢＳ１０）および単数行または複数行の配置（Ｚ，Ｚ１，Ｚ２，Ｚ３）で、“１”−２進要素を用いてコード情報が表されており、
“１”−２進要素が、ガラス構造物の成形方向で整列されているか、または成形工具からガラス構造物への像形成動作自体によって成形される部分面に取り付けられていて、“１”−２進要素が、識別面（ＫＦ）に対して隆起しているかまたは凹んでいる均一のシンボルとして形成されていることを特徴とする、テレビのためのガラス構造物。
【請求項２】
コード情報の、２０，２１，２２．．．２９の値を有する２進桁（ＢＳ１，ＢＳ２，ＢＳ３，ＢＳ４，ＢＳ５，ＢＳ６，ＢＳ７，ＢＳ８，ＢＳ９）が、識別面の行（Ｚ，Ｚ１，Ｚ２，Ｚ３）において均一に分配して設けられている、請求項１記載のガラス構造物。
【請求項３】
コード情報の“１”−２進要素が、アルファニューメリックまたはグラフィックのシンボル（Ｓ１，Ｓ２）として形成されている、請求項１または２記載のガラス構造物。
【請求項４】
コード情報の行に、コード情報の形成には含まれないスタートシンボルおよびエンドシンボル（ＡＳ，ＥＳ）が割り当てられており、
有利にはスタートシンボルおよびエンドシンボルが、“１”−２進要素のシンボル（Ｓ１，Ｓ２）とは異なっている、請求項１から３までのいずれか１項記載のガラス構造物。
【請求項５】
コード情報が、追加的な構造物識別子および製造データを備えた連続する構造物番号を有している、請求項１から４までのいずれか１項記載のガラス構造物。
【請求項６】
請求項１から５までのいずれか１項記載のガラス構造物を製造するための装置において、
成形工具における識別面（ＫＦ）が、ガラス構造物の、成形方向に対して垂直に位置する非機能面に選択されているか、または成形工具からガラス構造物への像形成自体によって成形される部分面に取り付けられており、
前記面を特定する成形工具面が、逆のコード情報を有していることを特徴とする、ガラス構造物を製造するための装置。
【請求項７】
たとえば構造物番号であるコード情報の少なくとも一部が、製作されるガラス構造物ごとに異なっている、請求項６記載の装置。
【請求項８】
成形工具にコード情報発生器が割り当てられており、該コード情報発生器を介して成形工具におけるコード情報が可変である、請求項６または７記載の装置。
【請求項９】
コード情報発生器が、２進桁（２０，２１，２２．．．２４）ごとに圧刻工具を備えており、該圧刻工具が、普遍的な“１”−２進要素を有しており、該圧刻工具が、選択的にアクティブ位置またはパッシブ位置に移動可能である、請求項６から８までのいずれか１項記載の装置。
【発明の詳細な説明】
【０００１】
本発明は、たとえばモニタ、ブラウン管などのような、テレビのためのガラス構造物、ならびにこのようなガラス構造物を製作するための装置に関する。
【０００２】
テレビ製造業者は、取り付けられたコード情報に基づいてガラス構造物の製造データなどを推定するために、ガラス構造物により一層多くの識別情報を要求している。このために多くの場合バーコードを備えたラベルが用いられるが、このようなラベルは、追加的な作業過程でガラス構造物に取り付ける必要がある。
【０００３】
スクリーン印刷法で、このように形成されたコード情報をガラス構造物に取り付けることも公知であるが、これも同様にガラス構造物の製造に続く追加的な作業過程が必要である。
【０００４】
ガラス構造物は、成形工具（型）の適当な設計に際して、射出成形法および／またはブロー成形法および／またはプレス成形法および／または遠心成形法において１作業過程で製作して、成形工具から取り出して成形することができる。
【０００５】
したがって本発明の課題は、冒頭で述べたような形式の、テレビのためのガラス構造物を改良して、ガラス構造物の機能性を損なわずに、ガラス構造物の製造と相俟って１作業過程で取り付けることのできるような持続的なコード情報を有するものを提供することである。
【０００６】
この課題を解決するための本発明の構成によれば、ガラス構造物の非機能面が、識別面として２進コード情報を有しており、複数桁の配置および単数行または複数行の配置で、“１”−２進要素を用いてコード情報が表されており、“１”−２進要素が、ガラス構造物の成形方向で整列されているか、または成形工具からガラス構造物への像形成動作自体によって成形される部分面に取り付けられていて、“１”−２進要素が、識別面に対して隆起しているかまたは凹んでいる均一のシンボルとして形成されている。
【０００７】
識別面が機能性を有していないので、ガラス構造物の機能は損なわれることがない。この面はたとえばガラス構造物の見えない面であってよい。“１”−２進要素で２進コード情報を選択することは有利であり、コード情報を表すために均一のシンボルを使用することができる。２進桁は、単数または複数の行に分配することができるので、それぞれ異なる極めて多くの情報を再現することができる。１０個の２進桁を有する１行で２１０個の情報を形成することができ、これに対してそのような行が３つあると２３０個の情報を形成することができる。
【０００８】
隆起しているかまたは凹んでいるシンボルとして形成されたコード要素は、成形工具の逆のコード要素を用いて簡単にガラス構造物に取り付けることができる。このようなシンボルのための読み取り装置は、単にシンボルの大きさおよび形状に適した性能を有していればよい。このようなシンボルが成形工具の成形方向に関して整列されているか、または成形工具からガラス構造物への像形成動作自体によって成形される部分面に取り付けられている場合、ガラス構造物の識別は、製造過程において全く困難でなく、ここではガラス構造物のどの製造方法で製造が行われるかは問題とされない。行に対する２進桁の分配は均一であり、これによって“１”−２進要素の占有（または非占有）、および“０”−２進要素の存在を一義的に区別することができる。
【０００９】
“１”−２進要素のために、アルファニューメリック（英数字）またはグラフィックのシンボルを用いることができる。
【００１０】
コード情報の行における全ての２進桁を利用してコード情報を形成するために、コード情報の行に、コード情報の形成には含まれないスタートシンボルおよびエンドシンボルが割り当てられており、有利にはこのスタートシンボルおよびエンドシンボルは、“１”−２進要素のシンボルとは異なっている。
【００１１】
スタートシンボルおよびエンドシンボルが“１”−２進要素とは異なっている場合、このようなスタートシンボルおよびエンドシンボルによって、コード情報の評価が簡単になる。
【００１２】
ここではコード情報は、連続する構造物番号と追加的な構造物識別子と製造データとを有することができる。
【００１３】
このようなコード情報を有するガラス構造物を製造するための装置では、成形工具における識別面が、ガラス構造物の、成形方向に対して垂直に位置する非機能面に選択されているか、または成形工具からガラス構造物への像形成動作自体によって成形される部分面に取り付けられており、前記面を特定する成形工具面は、逆のコード情報を有している。
【００１４】
このようなシンボルおよび識別面の方向性では、成形工具を用いたガラス構造物の成形を含めて製造は全く困難なものではない。
【００１５】
別の実施形態では、ガラス構造物を個別的に識別するために、コード情報の少なくとも一部（たとえばガラス構造物番号）が、製造されるガラス構造物ごとに異なっている。このために成形工具にコード情報発生器が割り当てられており、コード情報発生器を介して成形工具におけるコード情報が可変である。
【００１６】
本発明の製造装置によれば、各２進桁を“１”または“０”で示すために、コード情報発生器が２進桁ごとに圧刻工具を備えており、この圧刻工具が普遍的な“１”−２進要素を有しており、この圧刻工具が選択的にアクティブ位置またはパッシブ位置に取付可能である。“０”は、“１”が設けられていないと識別され、つまり該当する２進桁に“１”−２進要素が存在していない。
【００１７】
次に本発明の実施例を図示し、詳しく説明する。
【００１８】
選択した全ての実施例では、行にそれぞれ１０個の２進桁ＢＳ１〜ＢＳ１０が設けられており、これらの２進桁に重み２０〜２９が割り当てられており、したがって行Ｚ，Ｚ１〜Ｚ３ごとに２１０個の２進コード情報の形成が許容される。
【００１９】
図１の実施例では、扁平な識別面ＫＦは、ネップ状または球頭状に隆起したシンボルＳ１を“１”−２進要素として有しており、ここでは２進桁ＢＳ１，ＢＳ３，，ＢＳ４，ＢＳ７，ＢＳ９が占有されており、コード情報２０＋２２＋２３＋２６＋２８＝３３３を表している。
【００２０】
図２の実施例では、３つの行Ｚ１，Ｚ２，Ｚ３が識別フィールドＫＦに設けられており、ここでは星形のシンボルＳ２がガラス構造物に分配して刻まれている。２進桁ＢＳ１〜ＢＳ１０にとって、行Ｚ２における２進桁の重みは２１０〜２１９で規定され、行Ｚ３においては２２０〜２２９で規定されるので、全体として２３０個の２進コード情報を形成することができる。
【００２１】
図３の実施例に示したように、２進桁ＢＳ１〜ＢＳ１０の分配された行ＺにおいてスタートシンボルＡＳが前置されていて、かつエンドシンボルＥＳが後置されており、このようなシンボルは常に設けられており、そうして２進桁ＢＳ１およびＢＳ１０がまだ占有されていても、行Ｚにおける２進桁ＢＳ１〜ＢＳ１０が一義的に規定される。シンボルＡＳおよびＥＳが、“１”−２進要素のシンボルＳ１およびＳ２と（たとえばサイズにおいて）異なっている場合、評価装置はコード情報を容易に検出することができる。
【００２２】
このような識別子を有するガラス構造物を製造するための成形工具の設計に際して、選択された識別フィールドＫＦが、ガラス構造物に機能を有しておらず、成形工具の成形方向に対して垂直に位置するか、または成形工具からガラス構造物への像形成動作自体によって成形される部分面に取り付けられている、という点について注意する必要がある。シンボルＳ１，Ｓ２，ＡＳ，ＥＳは、成形工具の、シンボルに対応して逆に、つまり逆の像を有して形成された対抗面によってガラス構造物に像形成することができる。完成したガラス構造物ごとにコード情報の一部を変化させようとすると、成形工具にコード情報発生器が割り当てられ、このコード情報発生器は、行Ｚ１〜Ｚ３に関して２進桁ＢＳ１〜ＢＳ１０ごとにそれぞれ１つの圧刻工具（ポンチ）と、これらの圧刻工具に割り当てられた逆のシンボルとを有しており、選択的に成形工具におけるアクティブまたは非アクティブな位置に取り付けることができる。
【図面の簡単な説明】
【図１】
１０個の２進桁を有する１行のコード情報を示す図である。
【図２】
３×１０＝３０個の２進桁を有する３行のコード情報を示す図である。
【図３】
１０個の２進桁と、別の構成のスタートシンボルおよびエンドシンボルとを有する一面的なコード情報を示す図である。
【符号の説明】
Ｚ，Ｚ１〜Ｚ３　行、　ＢＳ１〜ＢＳ１０　２進桁、　Ｓ１，Ｓ２　シンボル、　ＡＳ　スタートシンボル、　ＥＳ　エンドシンボル
【国際公開パンフレット】
2004513865.tif 000003
2004513865.tif 000004
2004513865.tif 000005
2004513865.tif 000006
2004513865.tif 000007
2004513865.tif 000008
2004513865.tif 000009
2004513865.tif 000010
2004513865.tif 000011
2004513865.tif 000012
2004513865.tif 000013
2004513865.tif 000014
【国際公開パンフレット（コレクトバージョン）】
2004513865.tif 000015
2004513865.tif 000016
【手続補正書】
【提出日】平成14年12月3日(2002.12.3)
【手続補正１】
【補正対象書類名】明細書
【補正対象項目名】特許請求の範囲
【補正方法】変更
【補正の内容】
【特許請求の範囲】
【請求項１】
テレビのためのガラス構造物であって、２進コード情報のための識別面が設けられており、２進コード情報が、複数桁の配置（ＢＳ１，ＢＳ２，ＢＳ３，ＢＳ４，ＢＳ５，ＢＳ６，ＢＳ７，ＢＳ８，ＢＳ９，ＢＳ１０）および単数行または複数行の配置（Ｚ，Ｚ１，Ｚ２，Ｚ３）で、“１”−２進要素を用いて表されている形式のものにおいて、
認識面（ＫＦ）が、ガラス構造物の成形方向に対して垂直に位置する非機能面に選択されており、“１”−２進要素が、ガラス構造物の製造に際して、識別面（ＫＦ）に対して隆起しているかまたは凹んでいる均一のシンボル（Ｓ１，Ｓ２）として、成形工具と一体的に取り付けられていることを特徴とする、テレビのためのガラス構造物。
【請求項２】
コード情報の、２０，２１，２２．．．２９の値を有する２進桁（ＢＳ１，ＢＳ２，ＢＳ３，ＢＳ４，ＢＳ５，ＢＳ６，ＢＳ７，ＢＳ８，ＢＳ９）が、識別面の行（Ｚ，Ｚ１，Ｚ２，Ｚ３）において均一に分配して設けられている、請求項１記載のガラス構造物。
【請求項３】
コード情報の“１”−２進要素が、アルファニューメリックまたはグラフィックのシンボル（Ｓ１，Ｓ２）として形成されている、請求項１または２記載のガラス構造物。
【請求項４】
コード情報の行に、コード情報の形成には含まれないスタートシンボルおよびエンドシンボル（ＡＳ，ＥＳ）が割り当てられており、
有利にはスタートシンボルおよびエンドシンボルが、“１”−２進要素のシンボル（Ｓ１，Ｓ２）とは異なっている、請求項１から３までのいずれか１項記載のガラス構造物。
【請求項５】
コード情報が、追加的な構造物識別子および製造データを備えた連続する構造物番号を有している、請求項１から４までのいずれか１項記載のガラス構造物。
【請求項６】
請求項１から５までのいずれか１項記載のガラス構造物を製造するための装置において、
成形工具において、コード情報発生器が、ガラス構造物の識別面（ＫＦ）に対応して割り当てられており、該コード情報発生器において、各２進桁に、“１”−シンボルのための圧刻工具が割り当てられており、該コード情報発生器が、選択的にアクティブ位置またはパッシブ位置に取付可能であることを特徴とする、ガラス構造物を製造するための装置。
【国際調査報告】
2004513865.tif 000017
2004513865.tif 000018
2004513865.tif 000019
2004513865.tif 000020
2004513865.tif 000021
2004513865.tif 000022